(57)【要約】本発明の本出願は確実に、音響発生機器とスピーカーは、それらの音を改善し、低コストで、優れた音質と、革新的な音響ボックスを生成することを可能にする、音響箱の内部に配置されることを可能にする装置に関する互換性、搬送性、美しさ、軽さ、耐久性や機器の持続可能性。ボックスは、任意の適切な剛性材料で作ることができるが、そのようなブリキ等、板金製であり、自動車や家電業界から板金挿し木から作ることができます。、それだけで音の増幅と（独自のアンプとスピーカなし）音質向上ボックスとして使用することができ、またはそれは、一般的な使用の携帯機器に（独自のアンプとスピーカとの）増幅音響ボックスとして使用することができますなど音響箱、携帯電話、ラジオ、ポケットやミニチュア音響箱、家庭や店舗アラーム、など(FR) 音を改善するために、本発明のモデルのこの特許は、革新的な音響エンクロージャの製造を可能にする、音響エンクロージャ内部音発生装置及びスピーカを配置することができ交換可能な機器、携帯性、美しさ、光、持続可能性と耐久性、低コストで優れた音質を得ることができます。ハウジングは、任意の適切な剛性材料で製作することができるが、金属板状フランダースの板などの形態で、自動車業界からスクラップ鋼板から製造することができると家電製品。（独自のスピーカーなしの増幅素子なし）音質を改善するために、ハウジングの増加として単独で使用することができ、またはアンプ部とスピーカと（スピーカアンプとして使用することができますそのような、例えば、音響筐体、携帯電話機器、ラジオ、音響マイクロパッケージポケットやバッグに、国内および商業用アラームなどとして一般的に使用される携帯機器での）具体的な。(PT) モデル特許の発明は、これは、最適な音質を得るために、技術革新とスピーカーの製造を可能にする、音を改善し、あなたは、スピーカー内部の音発生装置とスピーカーを配置することができます何か、低コストであります、互換機器、携帯性、美しさ、軽量、耐久性、持続性、ボックスは、任意の適切な剛性材料から製造することができるが、板金で形成され、フランドルプレートタイプ等が鋼板のフラップを製造することができます自動車や白線ラインのみとして使用することができる：aumentadoraボックスと音質（無アンプ部とスピーカ自身せず）を増強する、又は増幅及びハイユニットとアンプスピーカー（として使用することができます音響箱、携帯電話、ラジオ、decksom次のような一般的に使用される携帯機器で自身の-falante）、など、住宅や商業アラーム、（どの音響マイクロ箱ポケット、または財布です）
2019526213.tif 000002
【特許請求の範囲】
【請求項１】
「超軽量、多目的および持続可能な指向性音響ボックス」は、フランダースシートのような硬い材料または鋼板または類似のものでできた、円形の長方形または楕円形の箱であることを特徴とする。出て、[＆]それ自身のスピーカーを持っていない、[1]その内部に、充電のためのバッテリーの有無にかかわらず場所、プラグまたは外部エネルギーケーブルおよびその内部に置く場所、ラジオ、携帯電話、サウンドシステム、住宅用および商業用警報器などのスピーカーおよび音響発生器。簡単、迅速、交換可能かつ独立した方法で、音響発生装置によって発生される可聴音を改善する。それはまた金属シート、フランダースまたは類似のタイプのシートで作られた円形の、長方形の、または楕円形の箱であり、音を出すための開口部を持ち、それ自身のスピーカーとアンプを持っている[＆] [2]ラジオ、携帯電話、住宅用または商業用の警報装置、サウンドシステムなど、特定の音発生装置を格納および接続するための、プラグ、コンセント、制御ボタンおよびコンパートメント。このようにして、音発生装置を容易に区別することができるが、独特で携帯可能な組み合わせを形成する。フランダース板のような硬い素材や鋼板でできた円形、長方形、楕円形の箱など、音を出すための開口部があり、適切なデザインになっています。 ［３］内部に音発生装置、スピーカ、および／または音響ボックス全体を配置することを可能にするための形態および構造、それゆえに、音を内部に直接反響させる。フランダース板のような硬い素材や鋼板でできた円形、長方形、楕円形の箱など、音を出すための開口部があり、適切なデザインのものもあります。 [4]音響発生装置内の既存のスピーカを使用して、それ自身のスピーカの有無にかかわらず、音響発生モジュール、増幅器および音響制御装置に適合する区画を可能にするための形態および構造。同様に、{＆]フランダース板のような硬い素材や鋼板でできた円形、長方形、楕円形の箱で、適切なデザインの音を出すための開口部があります。 ［５］音発生装置およびスピーカをその内部に配置し、その内部の音と特定の開口部から出る残響音とを反響させることを可能にするための形態および構造。そして結論として、それはフランダース板のような硬い素材や鋼板でできた円形、長方形、楕円形の箱でも、音を出すための開口部を持つこともできます。最小限の部品や材料を使用して、自動車産業や家電産業からのスクラップ、缶詰産業からのスクラップで製造することを可能にする[6]クリーンで環境に優しい製造を可能にするための適切な設計、形態および構造。
【発明の詳細な説明】
【技術分野】
【０００１】
001 - 本発明の特許は、低製造コストで高性能音響ボックスの製造を容易にする一群の配置を扱う。これは、現代の音響機器、小型の音響ボックス、携帯電話、その他の音を再生する機器に対抗するものです。
002 - 同時に、「超軽量、多目的かつ持続可能な指向性音響ボックス」は、関与する主な物理学者（音、振動、周波数、残響、共鳴と高調波、経済性と持続可能性）の研究の後に発見されました）徹底的なテストと測定の後で、我々は硬い材料（主に鋼板かそれに類似のもの、あるいは「フランダース鋼板」と呼ばれる）の音響配置、機能設計そして壁、あるいは他の類似形態を投影することができた。これは、本発明の特許の目的である工業化製品の構想を可能にした。
003 - 「超軽量、多目的、持続可能な指向性音響ボックス」は、スピーカーとアンプモジュールなしで製造することができます。スピーカーなしで製造する場合は、発電機のスピーカーを使用するということです。 携帯電話、マイクロアンプ、ポケットラジオ、サウンドシステムのような音（それは彼ら自身のバッテリーやネットワークからの電気、あるいはラジオ、ペンドライブ接続/ブルートゥースを備えたもの、それらはポケットに収まるものです。 または財布には、さまざまなサイズがあります）または他の音を発生させる機器。
004 -本発明の特許はまた、単に「超軽量、多目的および持続可能な指向性音響ボックス」の内部にスピーカーを配置すること（スピーカーまたは音発生器を配置すること）によって、住宅用および商業用警報システムからのスピーカーからの音を改善するために使用され得る。 本発明の特許の内側にそれを固定する手段は、より低いか、またはそれを迅速に取り外すことができるようにそれを単に容易に支持する）ボックスの盗難または破壊行為の発生を回避する低コストで製造されることである。 スピーカーとアコースティックボックス、それはそれをはるかに簡単にそれをあらゆる部品の代用品に変えるということであり、環境へのその配置は同様に単純化されている。
005 - 「超軽量、多目的および持続可能な指向性音響ボックス」は、内壁の建設など、他にも革新的な技術をもたらしますが、フランダースシーツなどの金属シートを使用することをお勧めします。 本発明では、優れた性能を提供し、それらは金属組織学のための外装仕上げおよび装飾としても使用することができ、自動車または家電産業から取り残されたスクラップならびにメンテナンス缶および他の製品を提供する利点を利用して得られる。 忠実度の高いサウンド、軽量、耐久性、持ち運びに優れ、持続可能です。
006 - 「超軽量、多目的および持続可能な指向性音響ボックス」では、スピーカー、ラジオ、携帯電話、完全なサウンドシステムまたはデッキレコーディングシステム（増幅された音響マイクロボックス）などのサウンドが際立っています。 発電装置は、箱の中にスピーカーを配置するので、箱の中に配置され、増強され改良された異なる音が得られます。
007 - 最後になりましたが、重要な違いとして、音の強さ（ワット）、その振幅（dB単位）、およびその平均周波数によって、ボックスのサイズと音の開き具合が決まります。 周波数の範囲と使用の可能性、それはそれが様々なタイプの音発生装置とスピーカーで使われることを可能にします。
008 - 今日市販されているモデルでは、スピーカーはボックスの外側に配置され、前面コーンはボックスの外側に配置され、コーンの後ろの音のみがボックスの内側に配置されます。
009 - 図１は、箱を特徴付けており、その項目「１」は箱の外部本体であり、項目「２」は音響箱の前面であり、項目「３」は箱の背面部分である。 「4」は音が出るための開口部、「5」はアンプモジュールを収納するためのオプションのコンパートメント、「6」では箱の一番下の内部部分を示しています。 音発生装置が支持されている場合、項目「７」において、ペンドライブ用の制御部、コンセント、ピン、および接続部を格納するための既存の開口部（オプション）。
010 - 図２にそれぞれ特徴付けられているボックスは、項目「９」が制御装置、アウトレット、ピンおよびペンドリブ用の接続部の開口部に類似した既存の開口部であることを示している。 壁に吊り下げるか、ねじで留めるための穴、アイテム「11」で壁に吊り下げるか、ねじで留めるための穴、アイテム「12」で丸みを帯びた箱の下側にストレートセクションのためのオプション 項目「１３」では支持台、項目「１４」では支持台、「１５」では円形箱である。
011 - 図３においてそれぞれ特徴付けられるボックスは、ボックスの側面にあるアイテム「16」、アイテム「17」において音が出るべき穴、アイテム「18」であるというオプションの装備で示される。 項目 "19"のスピーカーまたはサブウーファー（オプション）、項目 "20"のスピーカーサポート、項目 "21"のスピーカーサポート、項目 "22"のスピーカー 音の伝播（オプション）、アイテム「23」の音の伝播のためのスピーカー、アイテム「24」のボックスの裏側。
012 -以下は発明の特許の実現からの概略図の詳細であり、その寸法および比率は必ずしも実際のサイズではない、なぜなら画像は教訓的な方法で物体の多様な局面を提示する目的を有するからである。 金属製の構造と装置の取り付けを説明する目的で、概略図、設計のさまざまな図。
【図面の簡単な説明】
【０００２】
- 図1は箱を半側面図で示しており、内部を見ることができます。
- 図2は箱を正面から見た図で、内部の部品が見えます。
- 図3完全な発明を視野に入れた箱を示す図である。
【図１】
2019526213.tif 000003
【図２】
2019526213.tif 000004
【図３】
2019526213.tif 000005
【国際調査報告】
2019526213.tif 000006
2019526213.tif 000007
2019526213.tif 000008
2019526213.tif 000009